(57)【要約】【課題】棒形状の搬送物であっても、その方向を一定にさせて閉塞させずに移送可能な送出し装置と、該送出し装置を備えた吹付け装置を用いて法面に有機質を吹き付ける法面保護工法を提供する。【解決手段】本発明の搬送物送出し装置は、搬送物をホッパーから搬送装置まで移動させる箇所に、スライド振動するシューターと、回動する円筒状のシューターを備える事を特徴とする。該送出し装置を備えた吹付け装置によれば、ホッパーから落下した搬送物が、スライド振動及び回動するシューターを通過することで方向が一定となり、その状態にて搬送装置で吹付けられるため、棒形状を含む不定形の有機質であっても、途中で閉塞することなく連続して吹付けが可能となるのである。【選択図】      図１
2004257031.tif 000002
【特許請求の範囲】
【請求項１】
搬送物をホッパーから搬送装置まで移動させる送出し装置であって、回動する円筒状のシューターを備えることを特徴とする搬送物送出し装置。
【請求項２】
搬送物をホッパーから搬送装置まで移動させる送出し装置であって、振動するシューターと、回動する円筒状のシューターを備えることを特徴とする搬送物送出し装置。
【請求項３】
請求項１または２に記載の搬送物送出し装置を備えた吹付け装置を用いて筒状の袋体に有機質を充填して基体を形成し、この基体に植物の生育用開口部を形成し、かつ、法面上に設置して、基体間に前記有機質を吹き付ける一方、上記の植物生育用の開口部を通して筒状の袋体内に植栽土を供給し、この植栽土に植物苗を植栽または植物種子を播種することを特徴とする法面保護工法。
【請求項４】
保護工施工法面に法柵を設置すると共に、法柵間に有機物を吹き付ける法面保護工法であって、植物繊維製の筒状の袋体に合成樹脂製の筒状の袋体を内蔵すると共に、請求項１または２に記載の搬送物送出し装置を備えた吹付け装置を用いて前記二重の袋体に有機質を充填してなる基体を法柵構成用の柵体として、この柵体に植物の生育用開口部を形成し、かつ、この柵体を等高線と並行するように設置して、法柵間に前記吹付け装置を用いて有機質を吹き付ける一方、上記の植物生育用の開口部を通して二重の袋体内に植栽土を供給し、この植栽土に植物苗を植栽または植物種子を播種することを特徴とする法面保護工法。
【発明の詳細な説明】
【０００１】
【発明の属する技術分野】
本発明は、搬送物をホッパーから搬送装置まで移動させる送出し装置と、該送出し装置を備えた吹付け装置を用いて法面に有機質を吹き付ける法面保護工法に関するものである。
【０００２】
【従来の技術】
【特許文献１】特開平６−１５６７４３号
【０００３】
従来、ホッパーを用いた定量搬送装置において、搬送物を備蓄するホッパーから目的箇所まで移送するために、シューター（傾斜をつけて重力により上方から下方へ物体を移送する構造を指す）やスクリューコンベアなどの送出し装置をホッパーの下部に設置していた。
【０００４】
【発明が解決しようとする課題】
しかしながら、上述した送出し装置を用いた場合、例えば木質チップ等の棒形状の搬送物を搬送すると、搬送物の方向が一定とならず目的箇所にて詰まりが生じやいため、搬送物の形状が限定される問題があった。また、棒形状の搬送物はスクリューコンベアに乗り難く送出しが困難であった。
【０００５】
本発明は、かゝる実情に鑑みて成されたものであって、第１及び第２の発明では、棒形状の搬送物であっても、その方向を一定にさせて閉塞させずに移送可能な送出し装置を提供することを目的としている。
【０００６】
そして、第３及び第４の発明では、法面保護工の施工を木質チップ等の有機質と同居させて実現できる上に、一度に多量の有機質を処理可能な施工性の良い法面保護工法を提供することを目的としている。
【０００７】
【課題を解決するための手段】
第１の発明による搬送物送出し装置は、搬送物をホッパーから搬送装置まで移動させる箇所に、回動する円筒状のシューターを備えてなる点に特徴がある（請求項１）。
【０００８】
かゝる構成の送出し装置によれば、円筒状のシューターが回動することにより、棒形状の搬送物であってもシューター内を通過する際に棒形状の方向が揃い、スムーズに搬送装置へと送出されることとなる。
【０００９】
この際、第２の発明のようにホッパーと円筒シューターの間に振動するシューターを設けると（請求項２）、効率的に搬送物をホッパーから円筒状のシューター内へ送出すことができ、加えて搬送物の方向性をより高めることができる。
【００１０】
この振動するシューターの形状を上面が開放した筒状、すなわち樋形状とすると、搬送物がホッパーから落下する際の受け皿も兼ねることができて好適である。
【００１１】
また、振動するシューターの振動方向は、上下、左右、前後などの何れでも良く、これらを複合的に組み合わせた振動でも良いが、搬送物を送出す方向と平行にスライド振動させると、振動するシューターの傾斜が緩やかであっても、効率的に搬送物をホッパーから円筒状のシューター内へ送出すことができ好ましい。
【００１２】
更に、振動するシューターの底面に、搬送物を送出す方向に連続する凸部又は凹部を１若しくは複数設けると、搬送物が棒形状であっても、その方向をより均一に近い状態にすることができ好適である。
【００１３】
第３の発明による法面保護工法では、第１または第２の発明による搬送物送出し装置を備えた吹付け装置を用いて筒状の袋体に有機質を充填して基体を形成し、この基体に植物の生育用開口部を形成し、かつ、法面上に設置して、基体間に前記有機質を吹き付ける一方、上記の植物生育用の開口部を通して筒状の袋体内に植栽土を供給し、この植栽土に植物苗を植栽または植物種子を播種する点に特徴がある（請求項３）。
【００１４】
また、第４の発明による法面保護工法では、植物繊維製の筒状の袋体に合成樹脂製の筒状の袋体を内蔵すると共に、第１または第２の発明による搬送物送出し装置を備えた吹付け装置を用いて前記二重の袋体に有機質を充填してなる基体を法柵構成用の柵体として、この柵体に植物の生育用開口部を形成し、かつ、この柵体を等高線と並行するように設置して、法柵間に前記吹付け装置を用いて有機質を吹き付ける一方、上記の植物生育用の開口部を通して二重の袋体内に植栽土を供給し、この植栽土に植物苗を植栽または植物種子を播種する点に特徴がある（請求項４）。
【００１５】
かゝる構成の法面保護工法によれば、基体内部へ木質チップ等、棒形状を含む不定形な有機質を連続して充填することができると共に、植栽基体表面部が筒状の袋体で覆われることから、充填された有機質の乾燥が効果的に防止されるのであり、また、この植栽基体の植物生育用の開口部を通して袋体内に植栽土を供給し、この植栽土に植物苗を植栽または植物種子を播種することから、植栽土が木質チップから発生するガスや腐朽菌類の侵入を防止し、かつ、チッソ飢餓も抑止されて、植物は順調に生育するようになる。
【００１６】
即ち、この発明による法面保護工法によれば、法面保護工の施工を木質チップ等の有機質と同居させて実現できるのであり、しかも、前記植栽基体の間に有機質を吹き付けることから、多量の有機質を一度に処理することができるのである。
【００１７】
上記の基体となる筒状の袋体を構成する素材としては、基体の維持が望まれる期間に応じて、植物繊維，合成樹脂繊維，生分解性樹脂繊維などから適宜選択することができる。尚、二重の袋体から基体を構成し、植物繊維製の筒状の袋体に合成樹脂製の筒状の袋体を内蔵するようにすると、十分な強度を持ちながらも周辺の自然に調和する基体となり好適である。
【００１８】
この基体の法面上への設置パターンとしては、等高線と平行するように設置する、格子状に設置する、市松模様状に設置する、ランダムに設置する等、条件に応じて適宜選択できる。
【００１９】
また、上記の植栽土としては、チッソ飢餓をコントロールする上で、ゼオライト、炭粉、土壌改良材、鹿沼土、石灰などの混合資材を選択することが望ましい。
【００２０】
【発明の実施の形態】
以下、本発明の実施の形態を図面に基づいて説明する。図１は、本発明実施例の吹付け装置１を示す図、図２は送出し装置２を示す図であり、両図に示すとおり、本実施例の送出し装置２は回動する円筒状のシューターである回動シューター３と振動するシューターである振動シューター４を、本実施例の吹付け装置１は前記送出し装置２とホッパー５と搬送装置６を主な構成としている。
【００２１】
前記ホッパー５は、一般的に用いられているものであれば特に限定はされない。尚、ホッパー５排出口付近に少なくとも一箇所以上、搬送物７をホッパー５外へ送り出すための排出手段を設けていることが望ましい。
【００２２】
前記ホッパー５から排出された搬送物７は、その真下に設置されている振動シューター４へ移動する。この振動シューター４は、上側が開放した断面コの字型形状のレール８を二つ重ねており、所定の角度（例えば３０度）に傾斜させている。傾斜角度としては鋭角であれば良く、搬送物７の摩擦力が高い場合には角度を大きく、摩擦力が低い場合には角度を小さくすることで、望まれる速度にて搬送することができる。
【００２３】
更に、振動シューター４を構成する上側レール８ａは上流側端部にてクランク機構と接続されてあり、上側レール８ａ部分が下側レール８ｂと平行に往復スライドする構造となっている。
【００２４】
前記振動シューター４の下流側には、回動シューター３が接続されている。回動シューター３は円筒形状をしており、両端に固定バンド９を備えると共に、長手方向中央部分に回動機構１０が接続されてなる。
【００２５】
この回動シューター３は、所定の角度（例えば３０度）に傾斜させた状態で両端の固定バンド９により枠体１１に固定する。傾斜角度としては鋭角であれば良く、搬送物７の摩擦力が高い場合には角度を大きく、摩擦力が低い場合には角度を小さくすることで、望まれる速度にて搬送することができる。
【００２６】
尚、実施例では振動シューター４と回動シューター３の傾斜角度を同一にしているが、夫々を異なる傾斜角度にて設置することも可能である。
【００２７】
回動シューター３の下流側には搬送装置６が接続される。搬送装置６としては、実施例ではエジェクターを使用しているが、これに限定されるものではなく、例えばバキューム等の圧力式搬送装置６や、ベンチュリー効果を利用した空気式搬送装置６など、適宜選択することができる。
【００２８】
次に、実施例の作用について説明する。この実施例の吹付け装置１では、上述のような送出し装置２を備えているため、例えば長さ２〜１０ｃｍで細切の木質チップｂの移送を行う場合、ホッパー５内の木質チップｂはまずその真下に設置されている振動シューター４へ落下する。
【００２９】
排出された直後の木質チップｂは無秩序な方向を向いて山積みの状態であるが、振動シューター４のスライド振動を受けて平面状に均され、下流側の回動シューター３へ移動することを促される。
【００３０】
そして、回動シューター３において、回動する円筒内を通過することで、それまで無秩序であった木質チップｂの方向は次第に搬送方向に揃えられ、その向きのまま重力により下流側の搬送装置６へ移動する。
【００３１】
搬送装置６は負圧域を形成するため、回動シューター３から移送されてきた木質チップｂを吸引し、その勢いをそのまま利用して下流端から目的箇所へ吹付けるのである。この際、回動シューター３により木質チップｂの方向が搬送方向に揃っているため、搬送装置６の吸引口及び搬送装置６内部で閉塞することなく、連続して吹き付けることができるのである。
【００３２】
次に、上述した吹付け装置１を用いた法面保護工法の実施例について説明する。図３は植栽基体１２を示し、植物繊維製の筒状の袋体１３に合成樹脂製の筒状の袋体１４を内蔵すると共に、この二重の袋体１３，１４に、別途ポット１５で生育させた植物苗ａ（この実施の形態では樹木苗）の生育用開口部１６を形成し、更に、二重の袋体１３，１４に、木質チップｂと固形肥料ｃとを配合させた有機質１７を、上述した吹付け装置１を用いて充填し、その充填口を閉じてなり、かつ、二重の袋体１３，１４の両端部には、連結用の控え部１８が備えられている。
【００３３】
植物苗ａの生育用開口部１６には、二重の袋体１３，１４内に嵌め込む状態で、網状の筒体１９が装着されている。この筒体１９と上記の内蔵袋体のそれぞれは、柔軟性を有する合成樹脂製であり、また、植物繊維製の筒状の袋体１３も柔軟性を有するものであって、有機質１７を充填する前の段階において、筒体１９を備えた二重の袋体１３，１４が折り畳み可能であることから、これの取り扱い並びに運搬が容易となっている。
【００３４】
法面Ｎの保護に際して、上記の構成による植栽基体１２を用意して、保護工の施工法面Ｎ上に、該植栽基体１２を上下方向（等高線とほぼ垂直な方向）に間隔を隔てて、かつ等高線と並行するように配置して、緑化工の施工法面Ｎに法柵を設置し、適宜アンカー２０を打設して、植栽基体１２の位置固定を図る。
【００３５】
この際、隣り合う植栽基体１２同士を連結して、一体化を図るようにしてもよい。この連結は、例えば、端部の控え部１８を互いに重ね合わせて、この控え部１８の孔にアンカー２０を打設することによって行うこともできるし、ほぼコの字形状の接続アンカー２０を用いて行うこともできる。
【００３６】
そして、法柵の間に、木質チップｂと固形肥料ｃとを配合させた有機質１７を、上述の吹付け装置１にて吹き付ける一方、上記の植物生育用の開口部１６を通して、二重の袋体１３，１４内の筒体１９に植栽土２１を供給し、この植栽土２１に植物苗ａを植栽することで、法面Ｎの保護工を完了するのであって、植物苗ａは成長して、やがては法面Ｎの土壌に根を張るようになる。
【００３７】
上記の実施の形態では、筒体１９に供給した植栽土２１に、別途ポット１５で生育させた植物苗ａを、ポット１５ごと植栽させているが、植物苗ａをポット１５から取り出して、これを植栽土２１と共に植物生育用の開口部に埋め込んでもよく、植物苗ａの植栽に代えて、植栽土２１に植物種子を播種してもよいのである。
【００３８】
また、法面Ｎの全面緑化を図るならば、法柵の間に吹き付けた有機質１７に、適宜の間隔を隔てて凹部を形成し、この凹部に植栽土２１を供給して、この植栽土２１に植物苗ａを植栽または植物種子を播種すればよいのである。
【００３９】
尚、植栽土２１としては、チッソ飢餓をコントロールする上で、ゼオライト、炭粉、土壌改良材、鹿沼土、石灰などの混合資材を選択することが望ましい。
【００４０】
また、有機質１７として、木質チップｂと固形肥料ｃとの配合基材を選択しているが、これらに適宜、土壌改良材、ピートモス、バーミキュライト、腐葉土などを配合させてもよいのである。
【００４１】
なお、前記植栽基体１２に設ける生育用開口部１６の数は、１つに限るものではなく、複数（例えば、２つ）設けてもよく、また、前記開口部を有しない植栽基体１２を設けてもよい。
【００４２】
また、前記法柵を構成する植栽基体１２の配置方法はこれに限定されるものではなく、例えば、前記法柵を構成する植栽基体１２を市松模様状（チェック状）に配置してもよいし、格子状に配置しても良い。
【００４３】
さらに、トリコデルマ菌を接触させるなど前記木質チップｂへ無害化処理を施すと、木質チップｂが植物に悪影響を及ぼす可能性を更に低減させることとなり好ましい。
【００４４】
【発明の効果】
以上説明したように、第１の発明によれば、棒形状の搬送物であっても、その方向を一定にさせて閉塞させずに移送可能な送出し装置を提供することができる。
【００４５】
そして、第２の発明によれば、棒状の搬送物であっても、それを閉塞させることなく搬送可能な吹付け装置が提供されるのであり、これに加えて、第３の発明では、法面保護工の施工を木質チップ等の有機質と同居させて実現できる上に、一度に多量の有機質を処理可能な施工性の良い法面保護工法が提供される。
【図面の簡単な説明】
【図１】吹付け装置の使用形態を示す側面図である。
【図２】送出し装置の構造を示す斜視図である。
【図３】法面緑化工の施工形態を示す断面図である。
【符号の説明】
１…吹付け装置、２…送出し装置、３…回動シューター、４…振動シューター、５…ホッパー、６…搬送装置、７…搬送物、１２…植栽基体、１３…植物繊維製の筒状の袋体、１４…合成樹脂製の筒状の袋体、１６…植物の生育用開口部、１７…有機質、２１…植栽土、ａ…植物苗、ｂ…木質チップ、Ｎ…法面。
【図１】
2004257031.tif 000003
【図２】
2004257031.tif 000004
【図３】
2004257031.tif 000005
【手続補正書】
【提出日】平成15年2月27日(2003.2.27)
【手続補正１】
【補正対象書類名】明細書
【補正対象項目名】００４５
【補正方法】変更
【補正の内容】
【００４５】
そして、第２の発明によれば、効率的に搬送物をホッパーから円筒状のシューター内へ送出すことができ、加えて搬送物の方向性をより高めることができるのであり、これに加えて、第３及び第４の発明では、法面保護工の施工を木質チップ等の有機質と同居させて実現できる上に、一度に多量の有機質を処理可能な施工性の良い法面保護工法が提供される。